(57)【要約】      （修正有）【課題】如何なる補助具も必要せずに容易に着脱が図れ、非常に便利なキャットタワーを提供する。【解決手段】キャットタワーは、支持機構１００とプラットフォーム機構２００を含み、支持機構は、第１壁面と第２壁面にそれぞれ当接された第１端１１１及び第２端１１２を有し、間隔を空けて平行に設置された２本の第１ロッド１１０と、両端がそれぞれ２本の第１ロッドに接続され、挿着穴が開設された第２ロッド１２０と、を含む。プラットフォーム機構は、猫に踏み込まれる第１表面２１１と第１表面に対向して第１端から離れる第２表面２１２とを含むプラットフォーム本体２１０と、第２表面に設けられ、挿着穴内に挿し込まれる挿着ブロックと、を含む。【選択図】図１
0003222040.tif 000002
【実用新案登録請求の範囲】
【請求項１】
角を成して設置された第１壁面と第２壁面との間に配置されるキャットタワーであって、
前記第１壁面と前記第２壁面にそれぞれ当接された第１端及び前記第２端を含み、間隔を空けて平行に設置された２本の第１ロッドと、両端がそれぞれ２本の前記第１ロッドに接続され、挿着穴が開設された第２ロッドと、を含む支持機構と、
猫に踏み込まれる第１表面と前記第１表面に対向して前記第１表面より前記第１端から離れる第２表面とを含むプラットフォーム本体と、前記第２表面に設けられ、前記挿着穴内に挿し込まれる挿着ブロックと、を含むプラットフォーム機構と、
一端が前記プラットフォーム本体の前記第１壁面に近づく一側に接続され、且つ他端が前記第１ロッドの前記第１端に接続される結束バンド本体を含む結束バンド機構と、を含むことを特徴とするキャットタワー。
【請求項２】
前記第１ロッドは順次に接続された水平部、メインロッド及び垂直部を含み、前記第１端は前記水平部の前記メインロッドから離れる一端であり、前記第２端は前記垂直部の前記メインロッドから離れる一端であり、前記キャットタワーが角を成して設置された第１壁面と第２壁面との間に配置される場合、前記水平部は前記第１壁面に垂直し、前記垂直部は前記第２壁面に垂直し、前記メインロッドが前記第１壁面に対して斜めに設置されることを特徴とする請求項１に記載のキャットタワー。
【請求項３】
前記第１ロッドは複数の区間を含み、隣接する２つの区間が取外し可能に接続されることを特徴とする請求項１に記載のキャットタワー。
【請求項４】
前記支持機構は接続部材とスタッドとをさらに含み、前記接続部材に第１貫通穴と第２貫通穴とが開設され、前記接続部材が前記第１貫通穴により前記第１ロッドに穿設され，前記第２ロッドの端部が前記第２貫通穴内に設けられ、
前記接続部材に切欠が開設され、前記切欠が前記第１貫通穴に連通するとともに、前記接続部材の前記第２ロッドから離れる一端を２つの挟み板に分け、前記スタッドが２つの前記挟み板に穿設され、且つ２つの前記挟み板にそれぞれネジ接続され、２つの前記挟み板が密着される場合、前記接続部材が前記第１ロッドに固定され、２つの前記挟み板が分離する場合、前記接続部材は前記第１ロッドを往復移動可能であることを特徴とする請求項１に記載のキャットタワー。
【請求項５】
前記支持機構は接続部材と管栓とをさらに含み、前記接続部材に第１貫通穴と第２貫通穴とが開設され、前記接続部材が前記第１貫通穴により前記第１ロッドに穿設され、前記管栓が前記第２貫通穴内に設けられ、前記第２ロッドの端部が前記管栓内に設けられ、且つ、前記管栓のそれぞれが前記接続部材と前記第２ロッドに締代合わせすることを特徴とする請求項１に記載のキャットタワー。
【請求項６】
前記第２ロッドの端部にＵ字形ストッパ溝が凹んで形成され、前記管栓の内壁にストッパが設けられ、前記ストッパが前記Ｕ字形ストッパ溝内に滑り込むとともに、前記Ｕ字形ストッパ溝の溝底に当接することを特徴とする請求項５に記載のキャットタワー。
【請求項７】
前記管栓の外壁に当接リブが設けられ、前記当接リブの延在方向が前記第２ロッドの延在方向と同じであり、前記第２貫通穴の内壁に当接槽が開設され、前記当接リブが前記当接槽内に係合することを特徴とする請求項５に記載のキャットタワー。
【請求項８】
前記プラットフォーム本体はフレームと前記フレームを被覆する布カバーとを含み、前記挿着ブロックが前記フレームに設けられるとともに、前記布カバーの外に位置することを特徴とする請求項１に記載のキャットタワー。
【請求項９】
前記フレームは第１Ｕ字形管とＬ字形折曲管と水平直管とを含み、前記Ｌ字形折曲管が垂直に接続された第１管部と第２管部とを含み、前記Ｌ字形折曲管の数が２本であり、２本の前記Ｌ字形折曲管の前記第１管部のそれぞれが前記第１Ｕ字形管の両端に取外し可能に接続され、２本の前記Ｌ字形折曲管の前記第２管部が２つの前記挿着ブロックであり、前記水平直管の両端のそれぞれが２本の前記Ｌ字形折曲管の前記第１管部に取外し可能に接続され、
又は、前記フレームが取外し可能に接続された２本の第２Ｕ字形管を含み、前記挿着ブロックがその中の１つの前記第２Ｕ字形管に設けられることを特徴とする請求項８に記載のキャットタワー。  
【請求項１０】
前記キャットタワーが角を成して設置された第１壁面と第２壁面に配置される場合、前記第１ロッドが前記第１壁面に対して斜めに設置され、
前記プラットフォーム機構が第１プラットフォーム機構と第２プラットフォーム機構とを含み、前記第２プラットフォーム機構が前記第１プラットフォーム機構より前記第１端側に位置し、
前記第１プラットフォーム機構が第１プラットフォーム本体と第１挿着ブロックとを含み、前記第１プラットフォーム本体が第１フレームと前記第１フレームを被覆する第１布カバーとを含み、前記第１フレームが第１Ｕ字形管とＬ字形折曲管と水平直管とを含み、前記Ｌ字形折曲管が垂直に接続された第１管部と第２管部とを含み、前記Ｌ字形折曲管の数が２本であり、２本の前記Ｌ字形折曲管の前記第１管部のそれぞれが前記第１Ｕ字形管の両端に取外し可能に接続され、２本の前記Ｌ字形折曲管の前記第２管部が２本の前記第１挿着ブロックであり、前記水平直管の両端のそれぞれが２本の前記Ｌ字形折曲管の前記第１管部に取外し可能に接続され、
前記第２プラットフォーム機構が第２プラットフォーム本体と第２挿着ブロックとを含み、前記第２プラットフォーム本体が第２フレームと前記第２フレームを被覆する第２布カバーとを含み、前記第２フレームが取外し可能に接続された２本の第２Ｕ字形管を含み、前記第２Ｕ字形管が底管と２本の側管とを含み、２本の前記側管のそれぞれが前記底管の両端に接続され、２本の前記第２Ｕ字形管が前記側管を介して取外し可能に接続され、前記第２挿着ブロックが１つの前記第２Ｕ字形管の前記側管に設けられることを特徴とする請求項１に記載のキャットタワー。 
【請求項１１】
前記第２ロッドの数が複数であり、複数の前記第２ロッドが間隔を空けて平行に配置され、前記プラットフォーム機構の数が複数であり、且つ複数の前記プラットフォーム機構のそれぞれが複数の前記第２ロッドと１対１対応になっており、
前記結束バンド機構はウェビングリングと固定リングとをさらに含み、前記結束バンド本体の一端が前記第２壁面に近づく前記プラットフォーム本体に接続され、前記結束バンド本体の他端が前記固定リングを介して前記第１ロッドの前記第１端に接続され、前記結束バンド本体の中間部が前記ウェビングリングを介して中間の前記プラットフォーム本体に接続されていることを特徴とする請求項１に記載のキャットタワー。
【考案の詳細な説明】
【技術分野】
【０００１】
本考案はペット用品に関して、特にキャットタワーに関する。
【背景技術】
【０００２】
キャットタワーは猫のタワーであり、ペットである猫が遊べるように十分な活動空間を提供するプラットフォームである。キャットタワーは猫に思い切り遊べる空間を提供し、猫の活発な天性を解放し、猫の健やかな成長が図れるとともに、猫の注意力を十分に分散し、猫の家具への損壊程度を低減させることができる。
【考案の概要】
【考案が解決しようとする課題】
【０００３】
キャットタワーは一般的に、支柱と支柱に設けられる多重のプラットフォームとを含み、従来のキャットタワーにおいては主に、ボルトによる接続などの方式で上述したプラットフォームが支柱に組み立てられるので、組立中にドライバなどの外部道具を利用しなければ着脱作業を完成できない状態になり、着脱に時間がかかるだけではなく、着脱しにくくなる問題なども発生する。
【課題を解決するための手段】
【０００４】
これに基づき、従来のキャットタワーにおけるプラットフォームの着脱し難い技術的課題について、キャットタワーを提供する必要がある。
【０００５】
角を成して設置された第１壁面と第２壁面との間に配置されるキャットタワーであって、
前記第１壁面と前記第２壁面にそれぞれ当接された第１端及び前記第２端を含み、間隔を空けて平行に設置された２本の第１ロッドと、両端がそれぞれ２本の前記第１ロッドに接続され、挿着穴が開設された第２ロッドと、を含む支持機構と、
猫に踏み込まれる第１表面と前記第１表面に対向して前記第１表面より前記第１端から離れる第２表面とを含むプラットフォーム本体と、前記第２表面に設けられ、前記挿着穴内に挿し込まれる挿着ブロックと、を含むプラットフォーム機構と、
一端が前記プラットフォーム本体の前記第１壁面に近づく一側に接続され、且つ他端が前記第１ロッドの前記第１端に接続される結束バンド本体を含む結束バンド機構と、を含むキャットタワー。
【０００６】
その中の１つの実施例中において、前記第１ロッドは順次に接続された水平部、メインロッド及び垂直部を含み、前記第１端は前記水平部の前記メインロッドから離れる一端であり、前記第２端は前記垂直部の前記メインロッドから離れる一端であり、前記キャットタワーが角を成して設置された第１壁面と第２壁面との間に配置される場合、前記水平部は前記第１壁面に垂直し、前記垂直部は前記第２壁面に垂直し、前記メインロッドが前記第１壁面に対して斜めに設置される。
【０００７】
その中の１つの実施例において、前記第１ロッドは複数の区間を含み、隣接する２つの区間が取外し可能に接続される。
【０００８】
その中の１つの実施例において、前記支持機構は接続部材とスタッドとをさらに含み、前記接続部材に第１貫通穴と第２貫通穴とが開設され、前記接続部材が前記第１貫通穴により前記第１ロッドに穿設され，前記第２ロッドの端部が前記第２貫通穴内に設けられ、
前記接続部材に切欠が開設され、前記切欠が前記第１貫通穴に連通するとともに、前記接続部材の前記第２ロッドから離れる一端を２つの挟み板に分け、前記スタッドが２つの前記挟み板に穿設され、且つ２つの前記挟み板にそれぞれネジ接続され、２つの前記挟み板が密着される場合、前記接続部材が前記第１ロッドに固定され、２つの前記挟み板が分離する場合、前記接続部材は前記第１ロッドを往復移動可能である。
【０００９】
その中の１つの実施例において、前記支持機構は接続部材と管栓とをさらに含み、前記接続部材に第１貫通穴と第２貫通穴とが開設され、前記接続部材が前記第１貫通穴により前記第１ロッドに穿設され、前記管栓が前記第２貫通穴内に設けられ、前記第２ロッドの端部が前記管栓内に設けられ、且つ、前記管栓のそれぞれが前記接続部材と前記第２ロッドに締代合わせする。
【００１０】
その中の１つの実施例において、
前記第２ロッドの端部にＵ字形ストッパ溝が凹んで形成され、前記管栓の内壁にストッパが設けられ、前記ストッパが前記Ｕ字形ストッパ溝内に滑り込むとともに、前記Ｕ字形ストッパ溝の溝底に当接する特徴と
前記管栓の外壁に当接リブが設けられ、前記当接リブの延在方向が前記第２ロッドの延在方向と同じであり、前記第２貫通穴の内壁に当接槽が開設され、前記当接リブが前記当接槽内に係合する特徴の少なくとも１つをさらに含む。
【００１１】
その中の１つの実施例において、前記プラットフォーム本体はフレームと前記フレームを被覆する布カバーとを含み、前記挿着ブロックが前記フレームに設けられるとともに、前記布カバーの外に位置する。
【００１２】
その中の１つの実施例において、前記フレームは第１Ｕ字形管とＬ字形折曲管と水平直管とを含み、前記Ｌ字形折曲管が垂直に接続された第１管部と第２管部とを含み、前記Ｌ字形折曲管の数が２本であり、２本の前記Ｌ字形折曲管の前記第１管部のそれぞれが前記第１Ｕ字形管の両端に取外し可能に接続され、２本の前記Ｌ字形折曲管の前記第２管部が２つの前記挿着ブロックであり、前記水平直管の両端のそれぞれが２本の前記Ｌ字形折曲管の前記第１管部に取外し可能に接続され、
又は、前記フレームが取外し可能に接続された２本の第２Ｕ字形管を含み、前記挿着ブロックがその中の１つの前記第２Ｕ字形管に設けられる。
その中の１つの実施例において、前記キャットタワーが角を成して設置された第１壁面と第２壁面に配置される場合、前記第１ロッドが前記第１壁面に対して斜めに設置され、
前記プラットフォーム機構が第１プラットフォーム機構と第２プラットフォーム機構とを含み、前記第２プラットフォーム機構が前記第１プラットフォーム機構より前記第１端側に位置し、
前記第１プラットフォーム機構が第１プラットフォーム本体と第１挿着ブロックとを含み、前記第１プラットフォーム本体が第１フレームと前記第１フレームを被覆する第１布カバーとを含み、前記第１フレームが第１Ｕ字形管とＬ字形折曲管と水平直管とを含み、前記Ｌ字形折曲管が垂直に接続された第１管部と第２管部とを含み、前記Ｌ字形折曲管の数が２本であり、２本の前記Ｌ字形折曲管の前記第１管部のそれぞれが前記第１Ｕ字形管の両端に取外し可能に接続され、２本の前記Ｌ字形折曲管の前記第２管部が２本の前記第１挿着ブロックであり、前記水平直管の両端のそれぞれが２本の前記Ｌ字形折曲管の前記第１管部に取外し可能に接続され、
前記第２プラットフォーム機構が第２プラットフォーム本体と第２挿着ブロックとを含み、前記第２プラットフォーム本体が第２フレームと前記第２フレームを被覆する第２布カバーとを含み、前記第２フレームが取外し可能に接続された２本の第２Ｕ字形管を含み、前記第２Ｕ字形管が底管と２本の側管とを含み、２本の前記側管のそれぞれが前記底管の両端に接続され、２本の前記第２Ｕ字形管が前記側管を介して取外し可能に接続され、前記第２挿着ブロックが１つの前記第２Ｕ字形管の前記側管に設けられる。
【００１３】
その中の１つの実施例において、 前記第２ロッドの数が複数であり、複数の前記第２ロッドが間隔を空けて平行に配置され、前記プラットフォーム機構の数が複数であり、且つ複数の前記プラットフォーム機構のそれぞれが複数の前記第２ロッドと１対１対応になっており、
前記結束バンド機構はウェビングリングと固定リングとをさらに含み、前記結束バンド本体の一端が前記第２壁面に近づく前記プラットフォーム本体に接続され、前記結束バンド本体の他端が前記固定リングを介して前記第１ロッドの前記第１端に接続され、前記結束バンド本体の中間部が前記ウェビングリングを介して中間の前記プラットフォーム本体に接続されている。 
【考案の効果】
【００１４】
本考案が提供したキャットタワーは以下のメリットを備える。
プラットフォーム本体に挿着ブロックが設置されているので、挿着ブロックと第２ロッドにおける挿着穴とのコンビネーションによりプラットフォーム機構と支持機構との迅速な取付を実現でき、また、結束バンド機構における結束バンド本体がプラットフォーム機構を第１ロッドに結束することでプラットフォーム機構の支持固定が図れ、これに基づき、プラットフォーム機構が如何なる補助具を必要とせず着脱が実現でき、非常に便利である。
【図面の簡単な説明】
【００１５】
【図１】一実施形態のキャットタワーの結構概略図。
【図２】図１における方形の布カバーを除去した後のキャットタワーの結構概略図。
【図３】図１におけるＡでの拡大解体概略図。
【図４】図１におけるＢでの拡大解体概略図。
【図５】図１におけるプラットフォーム機構の結構概略図。
【図６】図１におけるもう一つの実施例のプラットフォーム機構の結構概略図。
【図７】図５における布カバーがある結構概略図。
【図８】図６における布カバーがある結構概略図。
【図９】図１における第１プラットフォーム機構の拡大接続概略図。
【図１０】図１における第２プラットフォーム機構の拡大接続概略図。
【図１１】図１におけるＣでの拡大概略図。
【図１２】図１におけるＤでの拡大概略図。
【図１３】図１におけるＥでの拡大概略図。
【考案を実施するための形態】
【００１６】
本考案の上述の目的、特徴及び利点をより明らかにするために、以下、図面を結合して本考案を実施するための形態を詳細に説明する。以下には、本考案を十分に理解するために、多くの具体的な詳細を述べる。しかし、本考案はここでの記載と異なるその他の形態で実施可能であり、当業者は本考案の主旨を逸脱しない場合、類似の改良できるので、本考案は以下に開示された実施形態に限定されていない。
【００１７】
なお、部品がもう１つの部品に「固定」されるというのは、直接にもう一つの部品に設けられてもよいし、介在する部品があってもよい。１つの部品がもう一つの部品に「接続」されるというのは、もう一つの部品に直接に接続されてもよいし、同時に介在する部品があってもよい。
【００１８】
別に定義されていない限り、本文に使用されるすべての技術と科学用語は本考案の当業者が通常に理解する意味と同じである。本文において、本考案の明細書に使用される用語は具体的な実施例を記載する目的だけで、本考案を限定していない。本文に使用される用語の「及び／又は」は１つ又は複数の関連する項目の如何なる及びすべての組合せを含む。
【００１９】
図１と図２に示すように、一実施形態のキャットタワー１０はネコに十分な活動空間を提供するために、角を成して設置された第１壁面（図示しない）と第２壁面（図示しない）との間に配置される。具体的に、本実施形態において、第１壁面が第２壁面に対して垂直に設置される。さらに具体的に、本実施形態において、第１壁面が垂直の壁であり、第２壁面が地面である。
【００２０】
このキャットタワー１０は支持機構１００とプラットフォーム機構２００と結束バンド機構３００とを含む。支持機構１００は間隔を空けて平行に設置される２本の第１ロッド１１０と２本の第１ロッド１１０を接続する第２ロッド１２０とを含む。プラットフォーム機構２００の一側が第２ロッド１２０に接続され、第２ロッド１２０がプラットフォーム機構２００に垂直方向の支持力を与える。結束バンド機構３００がプラットフォーム機構２００における第２ロッド１２０から離れる側に接続され、結束バンド機構３００の自由端が第１ロッド１１０の上端に接続されることで、プラットフォーム機構２００に垂直方向の引っ張り力を与える。支持機構１００と結束バンド機構３００との協働で、プラットフォーム機構２００が安定に水平状態になり、ネコに踏まれる（猫がプラットフォーム機構２００に座ったり立ったりする）。
図１と図４に示すように、支持機構１００は第１ロッド１１０と第２ロッド１２０とを含む。第１ロッド１１０は第１端１１１と第２端１１２とを含み、第１端１１１と第２端１１２はそれぞれ第１壁面と第２壁面に当接する。第２ロッド１２０に挿着穴１２１が開設されている。
【００２１】
プラットフォーム機構２００はプラットフォーム本体２１０と挿着ブロック２２０とを含む。プラットフォーム本体２１０は対向する第１表面２１１と第２表面２１２を含み、第１表面２１１が猫に踏まれ、第１表面２１１が第２表面２１２より第１端１１１に近づく。挿着ブロック２２０は第２表面２１２に設けられ、挿着ブロック２２０が挿着穴１２１内に挿入されている。本実施形態において、挿着ブロック２２０は挿着穴１２１と数量が同じであり、且つ１対１対応になっている。
【００２２】
具体的に、本実施形態において、挿着穴１２１の数が２本であり、２本の挿着穴１２１のそれぞれが第２ロッド１２０の両端に設けられる。その他の実施形態において、挿着穴１２１の数も１つ又は複数でもよいと理解可能である。
【００２３】
結束バンド機構３００は結束バンド本体３１０を含み、結束バンド本体３１０の一端がプラットフォーム本体２１０の第１壁面に近づく側に接続され、且つ結束バンド本体３１０の他端が第１ロッド１１０の第１端１１１に接続される。具体的に、本実施形態において、結束バンド機構３００の数が２本であり、即ち、結束バンド本体３１０の数が２本であり、プラットフォーム本体２１０の第１壁面側の両端のそれぞれが２本の結束バンド本体３１０に接続され、２本の結束バンド本体３１０の自由端のそれぞれが２本第１ロッド１１０に接続される。その他の実施例において、結束バンド機構３００の数が１つ又は複数でもよいと理解可能であり、結束バンド機構３００の数が１つである場合、２本の第１ロッド１１０の上端に一本の接続ロッドを設置することができ、結束バンド本体３１０の一端がプラットフォーム本体２１０の第１壁面側の中央部に接続され、他端が接続ロッドに接続される。より具体的に、本実施形態において、結束バンド本体３１０がウェビングである。その他の実施形態において、結束バンド本体３１０が他の材質の帯状、線状、面状等の固定構造でもよいと理解可能である。
【００２４】
上述のキャットタワー１０において、プラットフォーム機構２００を組み立てる必要がある場合、まず、プラットフォーム機構２００における挿着ブロック２２０を第２ロッド１２０における挿着穴１２１内に挿入し、そして結束バンド機構３００によりプラットフォーム本体２１０の第１壁面に近づく一側を第１ロッド１１０に結束する。プラットフォーム機構２００を取り外す必要がある場合、まず、結束バンド機構３００の２本の自由端を解除し、そしてプラットフォーム機構２００を持ち上げればよい。取外された後の結束バンド機構３００はプラットフォーム機構２００との接続関係を持ち続けて保管されることができ、プラットフォーム機構２００と支持機構１００との次回の迅速な組立に便利が図れる。上述のプラットフォーム機構２００の着脱中に、如何なる補助具を必要とせず、非常に便利である。
【００２５】
さらに、図１に示すように、キャットタワー１０が角を成して設置された第１壁面と第２壁面に配置された場合、第１ロッド１１０が第１壁面に対して斜めに設置されている。これにより、キャットタワー１０が安定に第１壁面と第２壁面との間に設けられることができ、そして猫がキャットタワー１０で上下に跳ぶことにさらに寄与する。
【００２６】
具体的に、本実施形態において、第１ロッド１１０は順次に接続された水平部１１３、メインロッド１１４及び垂直部１１５を含み、水平部１１３のメインロッド１１４から離れる一端が第１端１１１であり、垂直部１１５がメインロッド１１４から離れる一端が第２端１１２である。水平部１１３が第１壁面に垂直し、垂直部１１５が第２壁面に垂直し、メインロッド１１４が第１壁面に対して斜めに設置される。より具体的に、本実施形態において、メインロッド１１４は第１壁面との成す角が１６度であり、第２壁面との成す角が７４度である。その他の実施形態において、メインロッド１１４と第２壁面との成す角が９０度でもよく、即ち、キャットタワー１０の垂直の配置が図れると理解できる。
【００２７】
さらに、本実施形態において、第１ロッド１１０の両端を第１壁面及び第２壁面によりよく密着するために、第１ロッド１１０が第１パッド１１６と第２パッド１１７とをさらに含み、第１パッド１１６が第１ロッド１１０の第１端１１１に設けられ、第２パッド１１７が第１ロッド１１０の第２端１１２に設けられる。上述の第１パッド１１６と第２パッド１１７は第１壁面と第２壁面に密着した後の吸着力を増やすことができ、取付の安定性を向上させることができ、キャットタワー１０が第１壁面と第２壁面に取付けられた後で、摺動又は脱落しにくくなる。
【００２８】
さらに、図３に示すように、本実施形態において、第１ロッド１１０の長さを減少することでキャットタワー１０の着脱並びに取外し後の収納及び運輸の便利をはかるために、第１ロッド１１０が複数の区間を含んでもよく、隣接する２つの区間が取外し可能に接続される。具体的に、本実施形態において、区間が管状構造であり、隣接する２つの区間において、１つの区間が第１区間１１８であり、もう一つの区間が第２区間１１９であり、第１区間１１８に第１接続孔１１８１が開設され、第２区間１１９に第２接続孔１１９１が開設され、第２区間１１９の一端が第１区間１１８内に挿入され、且つ第２接続孔１１９１が第１接続孔１１８１に正対する。第１ロッド１１０はドーム１８０をさらに含み、ドーム１８０は第２区間１１９の内壁に当接する２本の機能部１８１を含み、少なくとも１つの機能部１８１に突起１８１１が設けられ、ドーム１８０が第２区間１１９内に収納され、且つ両機能部１８１のそれぞれが第２区間１１９の内壁に当接し、突起１８１１が第２接続孔１１９１と第１接続孔１１８１に順次に穿設される。より具体的に、本実施形態において、ドーム１８０がＶ字型を成している。その他の実施形態において、ドーム１８０がＵ字型又はＷ字型を成してもよいと理解可能である。
【００２９】
上述のキャットタワー１０において、第１区間１１８と第２区間１１９を組み立てる場合、突起１８１１を第２接続孔１１９１に合わせるように、ドーム１８０を第２区間１１９内に押し込むと、突起１８１１が第２接続孔１１９１に穿設され、そして突起１８１１を第１接続孔１１８１に合わせるように、ドーム１８０が設けられた第２区間１１９を第１区間１１８内に押し込むと、突起１８１１が第１接続孔１１８１に穿設され、第１区間１１８と第２区間１１９が接続される。第１区間１１８と第２区間１１９を取り外す場合、突起１８１１を第１区間１１８内に押さえ込みながら、第２区間１１９を引っ張ると、第１区間１１８と第２区間１１９が分離される。第１区間１１８と第２区間１１９はドーム１８０による接続により、着脱過程において、如何なる補助具を必要とせず、着脱が実現でき、非常に便利である。
【００３０】
さらに、図４に示すように、本実施形態において、第２ロッド１２０が第１ロッド１１０に沿って往復移動可能である。具体的に、本実施形態において、支持機構１００は接続部材１３０とスタッド１４０とをさらに含み、接続部材１３０に第１貫通穴１３１と第２貫通穴１３２とが開設され、接続部材１３０が第１貫通穴１３１により第１ロッド１１０に穿設され、第２ロッド１２０の端部が第２貫通穴１３２内に設けられる。接続部材１３０に切欠１３３が開設され、切欠１３３が第１貫通穴１３１に連通するとともに接続部材１３０の第２ロッド１２０から離れる一端を２つの挟み板１３４に分ける。スタッド１４０は２つの挟み板１３４に穿設されるとともに、２つの挟み板１３４にそれぞれネジ接続される。２つの挟み板１３４が密着される場合、接続部材１３０が第１ロッド１２０に固定され、２つの挟み板１３４が離れる場合、接続部材１３０が第１ロッド１１０を往復移動可能である。こうすると、第２ロッド１２０が第１ロッド１１０に沿う方向に位置の調節可能なことを非常に便利に図れる。
【００３１】
上述のキャットタワー１０において、接続部材１３０と第１ロッド１１０とを組み立てる場合、まず、所定数の接続部材１３０をその上の第１貫通穴１３１を介して第１ロッド１１０に嵌合し、スタッド１４０を２つの挟み板１３４に穿設させることで２つの挟み板１３４が密着され、第２ロッド１２０が第１ロッド１１０の異なる位置に固定される。接続部材１３０と第１ロッド１１０を取り外す場合、スタッド１４０を緩め、接続部材１３０を引き出せばよい。
さらに、第２ロッド１２０と接続部材１３０との接続後の安定性を確保し、回転運動を防ぐために、第２ロッド１２０の自由度を制限する必要がある。本実施形態において、支持機構１００は管栓１５０をさらに含み、管栓１５０が第２貫通穴１３２内に設けられ、第２ロッド１２０の端部が管栓１５０内に設けられるとともに管栓１５０のそれぞれが接続部材１３０と第２ロッド１２０に締代合わせする。
【００３２】
具体的に、本実施形態において、第２ロッド１２０の端部にはＵ字形ストッパ溝１２２が凹んで形成され、管栓１５０の内壁にストッパ１５１が設けられ、ストッパ１５１がＵ字形ストッパ溝１２２内に滑り込むとともに、Ｕ字形ストッパ溝１２２の溝底に当接する。
より具体的に、本実施形態において、管栓１５０の外壁に当接リブ１５２が設けられ、当接リブ１５２の延在方向と第２ロッド１２０の延在方向とは同じであり、第２貫通穴１３２の内壁に当接槽１３２１が開設され、当接リブ１５２は当接槽１３２１内に係合される。
【００３３】
上述のキャットタワー１０において、接続部材１３０により第２ロッド１２０を組み立てる場合、まず、接続部材１３０を第１ロッド１１０に固定し、ここで、接続部材１３０と第１ロッド１１０との接続方式は取外し可能な接続でもよいし溶接方式でもよい。その後で、第２ロッド１２０の一端を管栓１５０に嵌着させ、なお、第２ロッド１２０におけるＵ字形ストッパ溝１２２とストッパ１５１が完全にフィットでき、最後には、管栓１５０における当接リブ１５２を第２貫通穴１３２内表面における当接槽１３２１に合わせ、第２貫通穴１３２内に挿入し、一端を固定した後で、第２ロッド１２０の他端を同じ方法で固定すればよい。第２ロッドを取り外す場合、第１ロッド１１０の一端を外側へ引き出すだけで、第２ロッド１２０と接続部材１３０との脱離が実現でき、便利で、すばやく、如何なる補助具を必要としない着脱が図れる。
【００３４】
さらに、図５と図６に示すように、プラットフォームの着脱と保存の便利を図るために、プラットフォーム本体２１０はフレーム２１３を含み、挿着ブロック２２０がフレーム２１３に設けられる。 
【００３５】
具体的に、本実施形態において、図５に示すように、フレーム２１３は第１Ｕ字形管２６０、Ｌ字形折曲管２７０及び水平直管２８０を含み、Ｌ字形折曲管２７０は垂直に接続される第１管部２７１と第２管部２７２とを含み、Ｌ字形折曲管２７０の数は２本であり、２本のＬ字形折曲管２７０の第１管部２７１のそれぞれが第１Ｕ字形管２６０の両端の取外し可能に接続され、具体的には、スリーブにより嵌着され、２本のＬ字形折曲管２７０の第２管部２７２が２本の挿着ブロック２２０であり、水平直管２８０の両端のそれぞれは２本のＬ字形折曲管２７０の第１管部２７１に取外し可能に接続される。その他の実施形態において、水平直管２８０が２本のＬ字形折曲管２７０の第１管部２７１との接続方式が溶接でもよい。
【００３６】
具体的に、本実施形態において、図６に示すように、フレーム２１３は取外し可能に接続される２本の第２Ｕ字形管２９０を含んでもよく、挿着ブロック２２０がその中の１つの第２Ｕ字形管２９０に設けられる。その他の実施形態において、２本の第２Ｕ字形管は溶接方式により接続されてもよい。  
【００３７】
さらに、図７と図８に示すように、本実施形態において、猫のプラットフォームとの接触面積を増大するために、プラットフォーム本体２１０はフレーム２１３に設けられる布カバー２１４をさらに含み、挿着ブロック２２０が布カバー２１４の外側に位置する。
【００３８】
具体的に、本実施形態において、布カバー２１４の四つの角部に切欠が形成され、布カバー２１４に、対向して配置された２本の第１収納穴２１４１と第２収納穴２１４２が設けられ、布カバー２１４がフレーム２１３に接続された場合、第１Ｕ字形管２６０の中間部が第１収納穴２１４１に穿設され、第１Ｕ字形管２６０の両外側部がＬ字形折曲管２７０の第１管部２７１に接続された後で第２収納穴２１４２に穿設され、水平直管２８０がもう一つの第１収納穴２１４１に穿設され、又は、第２Ｕ字形管２９０の中間部が第１収納穴２１４１に穿設され、２本の第２Ｕ字形管２９０の外側部が接続された後で、第２収納穴２１４２に穿設される。
より具体的に、本実施形態において、布カバー２１４の中央部はメッシュ構成である。メッシュ構成の四つの辺には二重構造がそれぞれ接続され、二重構造が第１収納穴２１４１と第２収納穴２１４２の構成に用いられる。
【００３９】
さらに、図１に示すように、第１ロッド１１０が傾斜した状態で、複数のプラットフォーム機構２００を組み立てる場合、組み立てられたプラットフォーム機構２００の所在する位置が高ければ、プラットフォーム機構２００と第１壁面との距離が近くなる。最後の１つのプラットフォーム機構２００を組み立てる場合、プラットフォーム機構２００の第１壁面に近づく一側が第１壁面に当接する。引き続き上へプラットフォーム機構２００を取付けると、プラットフォーム機構２００におけるプラットフォーム本体２１０の幅が小さくなり、さらに猫の踏む場所が小さくなる。
【００４０】
具体的に、図９と図１０に示すように、本実施形態において、プラットフォーム機構２００は第１プラットフォーム機構４００と第２プラットフォーム機構５００とを含む。
【００４１】
第１プラットフォーム機構４００は第１プラットフォーム本体４１０と第１挿着ブロック４２０とを含む。第１プラットフォーム本体４１０は第１フレーム４３０と第１フレームを被覆する第１布カバー４４０とを含む。第１フレーム４３０は第１Ｕ字形管４３１、Ｌ字形折曲管４３２及び水平直管４３３を含む。Ｌ字形折曲管４３２は垂直に接続された第１管部４３２１と第２管部４３２２を含む。Ｌ字形折曲管４３２の数は２本であり、２本のＬ字形折曲管４３２の第１管部４３２１のそれぞれが第１Ｕ字形管４３１の両端に取外し可能に接続され、２本のＬ字形折曲管４３２の第２管部４３２２が２本の第１挿着ブロック４２０であり、水平直管４３３の両端のそれぞれが２本のＬ字形折曲管４３２の第１管部４３２１に取外し可能に接続され、
第２プラットフォーム機構５００は第２プラットフォーム本体５１０と第２挿着ブロック５２０とを含む。第２プラットフォーム本体５１０は第２フレーム５３０と第２フレーム５３０を被覆する第２布カバー５４０を含む。第２フレーム５３０は取外し可能に接続された２本の第２Ｕ字形管５３１を含む。第２Ｕ字形管５３１は底管５３１１と２本の側管５３１２とを含む。２本の側管５３１２のそれぞれは底管５３１１の両端に接続され、２本の第２Ｕ字形管５３１が側管５３１２を介して取外し可能に接続され、第２挿着ブロック５２０が１つの第２Ｕ字形管５３１の側管５３１２に設けられる。具体的に、本実施形態において、第２プラットフォーム機構５００が１つであり、第１プラットフォーム機構４００が三つであり、且つ第２プラットフォーム機構５００が第１端に最も近くなるように設置される。その他の実施形態において、第１プラットフォーム機構４００を複数（１つ以上）備えてもよい。
【００４２】
さらに、図１１、図１２及び図１３に示すように、着脱便利を満足する前提で、キャットタワー１０の装着後の安定性を向上させるために、プラットフォームに対する支持をさらに最適化する。具体的に、本実施形態において、プラットフォーム機構２００の数が複数であり、複数のプラットフォーム機構２００は間隔を空けて平行に配置される。結束バンド機構３００はウェビングリング３２０と固定リング３３０とを含む。結束バンド本体３１０の一端は第１ロッド１１０の第２端１１２に近づくプラットフォーム本体２１０に接続され、具体的には、嵌着又は結付けでもよく、結束バンド本体３１０の他端は固定リング３３０を介して第１ロッド１１０の第１端１１１に固定接続され、結束バンド本体３１０の中間部はウェビングリング３２０を介して中間のプラットフォーム本体２１０に接続される。
【００４３】
具体的には、図１１に示すように、結束バンド機構３００が第２壁面に最も近い第１プラットフォーム機構４００に接続される場合、結束バンド本体３１０はその一端の巻付けバンドにより、第１Ｕ字形管２６０の中間部に結付けられる。図１２に示すように、結束バンド機構３００は中間の第１プラットフォーム機構又は第２プラットフォーム機構に接続される場合、結束バンド本体３１０はウェビングリング３２０により第１Ｕ字形管２６０又は第２Ｕ字形管２９０の中間部に嵌着される。図１３に示すように、結束バンド機構３００が第１ロッド１１０に接続される場合、結束バンド本体３１０が固定リング３３０により第１ロッド１１０における第１端１１１に固定接続され、なお、固定リング３３０が水平部１１３に嵌着されるとともに第１パッド１１６一端に当接することができる。
【００４４】
以上、前記実施例の各技術的特徴は如何なる組み合わせを行うことができ、説明を簡潔にするために、上述の実施例における各技術的特徴のすべての可能な組合せを記載していないが、これらの技術的特徴の組合せに矛盾が存在しない限り、本明細書に記載の範囲と認めるべきである。
【００４５】
以上、前記実施例は本考案の若干の実施形態だけを述べ、その説明が具体的で詳しいが、それで本考案の保護範囲に対する制限だと理解してはいけない。なお、当業者にとって、本考案の思想を逸脱しない前提では、若干の変形及び改良をしてもよく、これらはいずれも本考案の保護範囲に属している。従って、本考案の特許保護範囲は付属する請求項を基準とする。
【符号の説明】
【００４６】
１０  キャットタワー
１００  支持機構
１１０  第１ロッド
１１１  第１端
１１２  第２端
１１３  水平部
１１４  メインロッド
１１５  垂直部
１１６  第１パッド
１１７  第２パッド
１１８  第１区間
１１８１  第１接続孔
１１９  第２区間
１１９１  第２接続孔
１２０  第２ロッド
１２１  挿着穴
１２２  Ｕ字形ストッパ溝
１３０  接続部材
１３１  第１貫通穴
１３２  第２貫通穴
１３２１  当接槽
１３３  切欠
１３４  挟み板
１４０  スタッド
１５０  管栓
１５１  ストッパ
１５２  当接リブ
１８０  ドーム
１８１  機能部
１８１１  突起
２００  プラットフォーム機構
２１０  プラットフォーム本体
２１１  第１表面
２１２  第２表面
２１３  フレーム
２１４  布カバー
２１４１  第１収納穴
２１４２  第２収納穴
２２０  挿着ブロック
２６０  第１Ｕ字形管
２７０  Ｌ字形折曲管
２７１  第１管部
２７２  第２管部
２８０  水平直管
２９０  第２Ｕ字形管
３００  結束バンド機構
３１０  結束バンド本体
３２０  ウェビングリング
３３０  固定リング
４００  第１プラットフォーム機構
４１０  第１プラットフォーム本体
４２０  第１挿着ブロック
４３０  第１フレーム
４３１  第１Ｕ字形管
４３２  Ｌ字形折曲管
４３２１  第１管部
４３２２  第２管部
４３３  水平直管
４４０  第１布カバー
５００  第２プラットフォーム機構
５１０  第２プラットフォーム本体
５２０  第２挿着ブロック
５３０  第２フレーム
５３１  第２Ｕ字形管
５３１１  底管
５３１２  側管
５４０  第２布カバー
【図１】
0003222040.tif 000003
【図２】
0003222040.tif 000004
【図３】
0003222040.tif 000005
【図４】
0003222040.tif 000006
【図５】
0003222040.tif 000007
【図６】
0003222040.tif 000008
【図７】
0003222040.tif 000009
【図８】
0003222040.tif 000010
【図９】
0003222040.tif 000011
【図１０】
0003222040.tif 000012
【図１１】
0003222040.tif 000013
【図１２】
0003222040.tif 000014
【図１３】
0003222040.tif 000015